(57)【要約】【課題】再生装置のフレームレートに合わせて、視聴者に対して視覚的に悪印象を与えることを防止することができる再生装置及び再生処理方法を提供する。【解決手段】ピクチャデータが複数フレーム連続したデータである映像データであって、符号化された映像データを復号して再生する再生装置１００に、符号化された第１のピクチャデータ、他のフレームのピクチャデータを参照して符号化された第２のピクチャデータの順に、映像データに含まれるピクチャデータに優先順位を付与する優先順位付与部４と、優先順位の高い順に所定フレーム数のピクチャデータを選択するピクチャ選択部５と、ピクチャ選択部５により選択されたピクチャデータを復号する復号部６と、を備えた。【選択図】図１
2010258983.tif 000002
【特許請求の範囲】
【請求項１】
符号化された映像データを復号して再生する再生装置であって、
前記映像データは、ピクチャデータが複数フレーム連続したデータを備え、
符号化された第１のピクチャデータ、他のフレームのピクチャデータを参照して符号化された第２のピクチャデータの順に、前記映像データに含まれる前記ピクチャデータに優先順位を付与する優先順位付与手段と、
前記優先順位の高い順に所定フレーム数の前記ピクチャデータを復号する復号手段と、
を備える再生装置。
【請求項２】
前記第１のピクチャデータは、Ｉピクチャ（Ｉｎｔｒａ  Ｐｉｃｔｕｒｅ）であり、
前記第２のピクチャデータは、Ｐピクチャ（Ｐｒｅｄｉｃｔｉｖｅ  Ｐｉｃｔｕｒｅ）及びＢピクチャ（Ｂｉ−ｄｉｒｅｃｔｉｏｎａｌ  Ｐｒｅｄｉｃｔｉｖｅ  Ｐｉｃｔｕｒｅ）であり、
前記優先順位付与手段は、Ｉピクチャ、Ｉピクチャを参照するＰピクチャ、Ｐピクチャを参照するＰピクチャ、Ｉピクチャを参照するＢピクチャ、Ｉピクチャを参照するＰピクチャを参照するＢピクチャ、Ｐピクチャを参照するＰピクチャを参照するＢピクチャの順に、前記映像データに含まれる前記ピクチャデータに優先順位を付与する請求項１に記載の再生装置。
【請求項３】
前記第１のピクチャデータは、Ｉピクチャ（Ｉｎｔｒａ  Ｐｉｃｔｕｒｅ）であり、
前記第２のピクチャデータは、Ｐピクチャ（Ｐｒｅｄｉｃｔｉｖｅ  Ｐｉｃｔｕｒｅ）及びＢピクチャ（Ｂｉ−ｄｉｒｅｃｔｉｏｎａｌ  Ｐｒｅｄｉｃｔｉｖｅ  Ｐｉｃｔｕｒｅ）であり、
前記優先順位付与手段は、Ｉピクチャ、Ｉピクチャを参照するＰピクチャ、Ｐピクチャを参照するＰピクチャ、Ｂピクチャの順に、前記映像データに含まれる前記ピクチャデータに優先順位を付与し、
前記所定フレーム数をＹ、前記映像データに含まれるＩピクチャのフレーム数をＩｘ、前記映像データに含まれるＰピクチャのフレーム数をＰｘ、前記映像データに含まれるＢピクチャのフレーム数をＢｘ、前記復号手段により復号するＢピクチャのフレーム数をＢｙとしたとき、Ｂｙ＝Ｙ−Ｉｘ−Ｐｘであり、
前記優先順位付与手段は、Ｂピクチャに優先順位を付与する場合、Ｂｘ／Ｂｙフレームに１フレームの割合で前記映像データに含まれるＢピクチャが前記復号手段によって復号されるように、Ｂピクチャのピクチャデータに優先順位を付与する請求項１に記載の再生装置。
【請求項４】
前記復号手段によって復号される前記ピクチャデータの前記所定フレーム数は、前記再生装置のフレームレートに基づいて決定されている請求項１乃至３の何れか一項に記載の再生装置。
【請求項５】
符号化された映像データを復号して再生する再生処理方法であって、
前記映像データは、ピクチャデータが複数フレーム連続したデータを備え、
符号化された第１のピクチャデータ、他のフレームのピクチャデータを参照して符号化された第２のピクチャデータの順に、前記映像データに含まれる前記ピクチャデータに優先順位を付与する優先順位付与処理と、
前記優先順位の高い順に所定フレーム数の前記ピクチャデータを復号する復号処理と、
を備える再生処理方法。
【請求項６】
前記第１のピクチャデータは、Ｉピクチャ（Ｉｎｔｒａ  Ｐｉｃｔｕｒｅ）であり、
前記第２のピクチャデータは、Ｐピクチャ（Ｐｒｅｄｉｃｔｉｖｅ  Ｐｉｃｔｕｒｅ）及びＢピクチャ（Ｂｉ−ｄｉｒｅｃｔｉｏｎａｌ  Ｐｒｅｄｉｃｔｉｖｅ  Ｐｉｃｔｕｒｅ）であり、
前記優先順位付与処理において、Ｉピクチャ、Ｉピクチャを参照するＰピクチャ、Ｐピクチャを参照するＰピクチャ、Ｉピクチャを参照するＢピクチャ、Ｉピクチャを参照するＰピクチャを参照するＢピクチャ、Ｐピクチャを参照するＰピクチャを参照するＢピクチャの順に、前記映像データに含まれる前記ピクチャデータに優先順位が付与される請求項５に記載の再生処理方法。
【請求項７】
前記第１のピクチャデータは、Ｉピクチャ（Ｉｎｔｒａ  Ｐｉｃｔｕｒｅ）であり、
前記第２のピクチャデータは、Ｐピクチャ（Ｐｒｅｄｉｃｔｉｖｅ  Ｐｉｃｔｕｒｅ）及びＢピクチャ（Ｂｉ−ｄｉｒｅｃｔｉｏｎａｌ  Ｐｒｅｄｉｃｔｉｖｅ  Ｐｉｃｔｕｒｅ）であり、
前記優先順位付与処理において、Ｉピクチャ、Ｉピクチャを参照するＰピクチャ、Ｐピクチャを参照するＰピクチャ、Ｂピクチャの順に、前記映像データに含まれる前記ピクチャデータに優先順位が付与され、
前記所定フレーム数をＹ、前記映像データに含まれるＩピクチャのフレーム数をＩｘ、前記映像データに含まれるＰピクチャのフレーム数をＰｘ、前記映像データに含まれるＢピクチャのフレーム数をＢｘ、前記復号手段により復号するＢピクチャのフレーム数をＢｙとしたとき、Ｂｙ＝Ｙ−Ｉｘ−Ｐｘであり、
前記優先順位付与処理において、Ｂピクチャに優先順位を付与する場合、Ｂｘ／Ｂｙフレームに１フレームの割合で前記映像データに含まれるＢピクチャが前記復号処理において復号されるように、Ｂピクチャのピクチャデータに優先順位が付与される請求項５に記載の再生処理方法。
【請求項８】
前記復号処理において復号される前記ピクチャデータの前記所定フレーム数は、前記再生装置のフレームレートに基づいて決定されている請求項５乃至７の何れか一項に記載の再生処理方法。
【発明の詳細な説明】
【技術分野】
【０００１】
本発明は再生装置及び再生処理方法に関する。
【背景技術】
【０００２】
現在、ピクチャデータが複数フレーム連続した映像データの送受信においては、ＭＰＥＧ方式やＨ．２６４／ＡＶＣ方式などの符号化方式で映像データが符号化されている。これにより、通信負荷の低減を図っている。
そして、符号化された映像データを再生する場合、再生装置のフレームレートが、映像データが送信されるフレームレートより低い場合がある。その場合には、映像データに含まれる連続したピクチャデータのうち何れかのピクチャデータをスキップして、復号処理が行われる。
【０００３】
しかし、何れかのピクチャデータをスキップすると、スキップされずに復号されたピクチャデータの表示間隔が乱れる。そのため、視聴者に対して視覚的に悪印象を与えてしまう。
そこで、特許文献１では、ピクチャデータをスキップした場合に、スキップされずに復号されたピクチャデータの表示間隔を調整する調整手段を設ける旨が記載されている。
また、特許文献２では、入力されたピクチャがＩピクチャでない場合、直前のピクチャデータが復号化されている場合には、該当ピクチャデータを復号しないという技術が記載されている。これにより、Ｉピクチャ以外のピクチャデータも復号することができるようにしている。これにより、画質の向上を図っている。
【先行技術文献】
【特許文献】
【０００４】
【特許文献１】特開２００８−０２２４７５号公報
【特許文献２】特開２００８−１９９１０９号公報
【発明の概要】
【発明が解決しようとする課題】
【０００５】
しかしながら、特許文献１に記載の技術では、再生装置に、スキップされずに復号されたピクチャデータの表示間隔を調整する調整手段を新たに設ける必要があるため、コストが高くなってしまう。また、特許文献２に記載の技術では、時系列的に連続した複数フレームのピクチャデータのうち、復号されるピクチャデータの出現頻度は必ずしも均一とはならないため、ピクチャデータの表示間隔が乱れる可能性がある。そのため、視聴者に対して視覚的に悪印象を与えてしまう可能性がある。
また、特許文献１及び特許文献２に記載の技術では、再生装置のフレームレートには関係なく、何れのピクチャデータをスキップするのかが決定される。そのため、再生装置のフレームレートに比べて、ピクチャデータをスキップしすぎてしまう可能性がある。
【課題を解決するための手段】
【０００６】
本発明の第１の態様にかかる再生装置は、符号化された映像データを復号して再生する再生装置である。また、前記映像データは、ピクチャデータが複数フレーム連続したデータを備えている。そして、前記再生装置は、優先順位付与手段と、復号手段とを備える。前記優先順位付与手段は、符号化された第１のピクチャデータ、他のフレームのピクチャデータを参照して符号化された第２のピクチャデータの順に、前記映像データに含まれる前記ピクチャデータに優先順位を付与する。また、前記復号手段は、前記優先順位の高い順に所定フレーム数の前記ピクチャデータを選択し、復号する。
【０００７】
本発明の第１の態様においては、優先順位付与手段により、符号化された第１のピクチャデータ、他のフレームのピクチャデータを参照して符号化された第２のピクチャデータの順に、映像データに含まれる前記ピクチャデータに優先順位が付与される。そして、復号手段により、当該優先順位の高い順に、所定フレーム数のピクチャデータが選択され、復号される。そのため、時系列的に連続した複数フレームのピクチャデータのうち、復号されるピクチャデータの出現頻度をできるだけ均一とすることができる。したがって、ピクチャデータの表示間隔の乱れを抑制することができる。これにより、視聴者に対して視覚的に悪印象を与えることを防止することができる。
さらに、復号手段により、当該優先順位の高い順に、所定フレーム数のピクチャデータが選択され、復号される。換言すれば、復号手段により、任意のフレーム数のピクチャデータを復号することができる。したがって、復号手段により、再生装置のフレームレートに合わせたフレーム数のピクチャデータを復号することができる。
したがって、再生装置のフレームレートに合わせて、視聴者に対して視覚的に悪印象を与えることを防止することができる。
【０００８】
本発明の第２の態様にかかる再生処理方法は、符号化された映像データを復号して再生する再生処理方法である。また、前記映像データは、ピクチャデータが複数フレーム連続したデータを備えている。そして、前記再生処理方法は、優先順位付与処理と、復号処理と、を備える。前記優先順位付与処理においては、符号化された第１のピクチャデータ、他のフレームのピクチャデータを参照して符号化された第２のピクチャデータの順に、前記映像データに含まれる前記ピクチャデータに優先順位が付与される。また、前記復号処理においては、前記優先順位の高い順に所定フレーム数の前記ピクチャデータが選択され、復号される。
【０００９】
本発明の第２の態様においては、優先順位付与処理において、符号化された第１のピクチャデータ、他のフレームのピクチャデータを参照して符号化された第２のピクチャデータの順に、映像データに含まれる前記ピクチャデータに優先順位が付与される。そして、復号処理において、当該優先順位の高い順に、所定フレーム数のピクチャデータが選択され、復号される。そのため、時系列的に連続した複数フレームのピクチャデータのうち、復号されるピクチャデータの出現頻度をできるだけ均一とすることができる。したがって、ピクチャデータの表示間隔の乱れを抑制することができる。これにより、視聴者に対して視覚的に悪印象を与えることを防止することができる。
さらに、復号処理において、当該優先順位の高い順に、所定フレーム数のピクチャデータが選択され、復号される。換言すれば、復号処理において、任意のフレーム数のピクチャデータを復号することができる。したがって、復号処理において、再生装置のフレームレートに合わせたフレーム数のピクチャデータを復号することができる。
したがって、再生装置のフレームレートに合わせて、視聴者に対して視覚的に悪印象を与えることを防止することができる。
【発明の効果】
【００１０】
本発明により、再生装置のフレームレートに合わせて、視聴者に対して視覚的に悪印象を与えることを防止することができる。
【図面の簡単な説明】
【００１１】
【図１】本発明の実施の形態１にかかる再生装置の構成の一例を示すブロック図である。
【図２】映像データを説明する図である。
【図３】本発明にかかる再生処理方法について説明する図である。
【図４】本発明の実施の形態１にかかる再生処理方法について説明する図である。
【図５】本発明の実施の形態１にかかる再生処理方法について説明する図である。
【図６】本発明の実施の形態１にかかる再生処理方法の一例を説明するフローチャートである。
【図７】本発明の実施の形態２にかかる再生装置の構成の一例を示すブロック図である。
【図８】本発明の実施の形態２にかかる再生処理方法について説明する図である。
【図９】本発明の実施の形態２にかかる再生処理方法について説明する図である。
【図１０】本発明の実施の形態２にかかる再生処理方法について説明する図である。
【発明を実施するための形態】
【００１２】
実施の形態１．
以下、図面を参照して本発明の実施の形態について説明する。
図１は、本発明の実施の形態１にかかる再生装置１００の構成の一例を示すブロック図である。図１に示すように、再生装置１００は、入力部１、ヘッダ参照部２、リオーダリング部３、優先順位付与部（優先順位付与手段）４、ピクチャ選択部（復号手段）５、復号部（復号手段）６、出力部７等を備えている。
また、再生装置１００は、図示しないＦＰＧＡ（Ｆｉｅｌｄ  Ｐｒｏｇｒａｍｍａｂｌｅ  Ｇａｔｅ  Ａｒｒａｙ）などから構成される制御部（図示省略）を備え、ＦＰＧＡは、再生装置１００の各部を制御するための各種プログラムを格納している。そして、制御部は、当該各種プログラムを実行することにより、再生装置１００の各部の制御を行う。なお、制御部は、ＦＰＧＡの代わりに、ＬＳＩ（Ｌａｒｇｅ  Ｓｃａｌｅ  Ｉｎｔｅｇｒａｔｉｏｎ）などを備えてもよい。制御部がＦＰＧＡを備える場合、ＦＰＧＡに格納された各種プログラムを書き換えることができる。
【００１３】
入力部１は、例えば、Ｆｌａｓｈ  Ｍｅｍｏｒｙ、ＨＤＤ（Ｈａｒｄ  Ｄｉｓｃ  Ｄｒｉｖｅ）などの記憶媒体や、Ｗｉ−Ｆｉ（登録商標）、携帯電話ネットワーク、ＴＶなどの通信モジュールと接続される入力インターフェースなどであり、符号化された映像データは、入力部１を介して再生装置１００に入力される。ここで、映像データは、時系列的に連続した複数のフレームのピクチャデータを備えている。また、入力部１を介して再生装置１００に入力される映像データは、例えば、Ｈ．２６４／ＡＶＣ方式などの符号化方式で符号化されている。なお、入力部１を介して再生装置１００に入力される映像データは、ＭＰＥＧ方式などにより符号化されていてもよい。
【００１４】
より具体的には、図２に示すように、映像データは、ＧＯＰ（Ｇｒｏｕｐ  Ｏｆ  Ｐｉｃｔｕｒｅｓ）及びＳＨ（Ｓｅｑｕｅｎｃｅ  Ｈｅａｄｅｒ）からなるデータセットが時系列的に連続したデータである。そして、各ＧＯＰは、１つ以上のＩピクチャ、複数のＰピクチャ、複数のＢピクチャを備えている。換言すれば、映像データは、時系列的に連続した複数のフレームのピクチャデータを備えている。
【００１５】
ヘッダ参照部２は、映像データに含まれるＳＨの中のＮＡＬヘッダを参照し、ＧＯＰに含まれるピクチャデータのタイプに関する情報を抽出する。具体的には、ヘッダ参照部２は、ｎａｌ＿ｒｅｆ＿ｉｄｃ、ｎａｌ＿ｕｎｉｔ＿ｔｙｐｅ、ｓｌｉｃｅ＿ｔｙｐｅを参照する。そして、ヘッダ参照部２は、ＧＯＰに含まれる各ピクチャデータが、Ｉピクチャ（Ｉｎｔｒａ  Ｐｉｃｔｕｒｅ）なのか、Ｐピクチャ（Ｐｒｅｄｉｃｔｉｖｅ  Ｐｉｃｔｕｒｅ）なのか、Ｂピクチャ（Ｂｉ−ｄｉｒｅｃｔｉｏｎａｌ  Ｐｒｅｄｉｃｔｉｖｅ  Ｐｉｃｔｕｒｅ）なのかについて判別する。そして、ヘッダ参照部２は、判別結果情報をリオーダリング部３に入力する。
【００１６】
リオーダリング部３は、ヘッダ参照部２から入力される判別結果情報に基づいて、入力部１から入力された映像データのリオーダリング処理を行う。具体的には、図３に示すように、リオーダリング部３は、各ピクチャデータを、表示する順番に、並び替える。なお、図３乃至図５において、各ピクチャデータの参照先を矢印で示す。そして、リオーダリング部３は、ヘッダ参照部２から入力された判別結果情報と、リオーダリング処理を行った映像データと、を優先順位付与部４に入力する。
【００１７】
優先順位付与部４は、リオーダリング部３から入力される映像データに含まれる各ピクチャデータに優先順位を付与する。具体的には、優先順位付与部４は、符号化された第１のピクチャデータ、他のフレームのピクチャデータを参照して符号化された第２のピクチャデータの順に、当該映像データに含まれる各ピクチャデータに優先順位を付与する。より具体的には、例えば、図４に示すように、優先順位付与部４は、Ｉピクチャ、Ｉピクチャを参照するＰピクチャ、Ｐピクチャを参照するＰピクチャ、Ｉピクチャを参照するＢピクチャ、Ｉピクチャを参照するＰピクチャを参照するＢピクチャ、Ｐピクチャを参照するＰピクチャを参照するＢピクチャの順に、当該映像データに含まれる各ピクチャデータに優先順位を付与する。図４において、優先順位を数字で示す。図４においては、数字が小さいほど、優先順位が高いことを示している。
また、本実施形態では、優先順位付与部４は、復号部６によって復号されるピクチャデータのフレーム数である所定フレーム数を、再生装置１００のフレームレートなどに基づいて、設定する。しかし、これに限られるものではなく、当該所定フレーム数は、予め定められていてもよいし、他の方法により設定されるものであってもよい。
なお、本実施形態では、優先順位付与部４は、ＧＯＰ毎に、当該ＧＯＰに含まれるピクチャデータに優先順位を付与する。
そして、優先順位付与部４は、優先順位を付与した映像データをピクチャ選択部５に入力する。
【００１８】
ピクチャ選択部５は、優先順位の高い順に、所定フレーム数のピクチャデータを選択する。ここで、当該所定フレーム数は、再生装置１００のフレームレートになど基づいて決定されている。換言すれば、ピクチャ選択部５は、優先順位の高い順に、再生装置１００のフレームレートに適合するフレーム数の分だけ、ピクチャデータを選択する。なお、本実施形態では、ピクチャ選択部５は、ＧＯＰ毎に、当該ＧＯＰに含まれるピクチャデータのうち、再生装置１００のフレームレートに適合するフレーム数の分だけ、ピクチャデータを選択する。例えば、図５に示すように、ＧＯＰに１５フレームのピクチャデータが含まれており、そのうち５フレームのみを復号部６により復号する場合、ピクチャ選択部５は、優先順位の高い順（図５の数字が小さい順）に、５フレームまでのピクチャデータを選択する。図５において、選択されないピクチャデータに斜線を付して示す。
また、ピクチャ選択部５は、選択されないピクチャデータ（図５において、斜線が付されたピクチャ）をダミーピクチャとして指定する。これにより、ピクチャ選択部５は、ダミーピクチャとして指定した当該ピクチャデータが復号部６により復号されないようにしている。
【００１９】
復号部６は、ピクチャ選択部５により選択されたピクチャデータを復号する。また、復号部６は、復号した映像データを出力部７に入力する。
【００２０】
出力部７は、例えば、ＬＣＤ（Ｌｉｑｕｉｄ  Ｃｒｙｓｔａｌ  Ｄｉｓｐｌａｙ）、ＴＶなどの表示装置や、Ｗｉ−Ｆｉ（登録商標）、ＷｉｒｅｌｅｓｓＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）など通信モジュールに接続される出力インターフェースなどであり、復号部６により復号された映像データは、出力部７を介して表示装置などの外部装置に入力される。
【００２１】
次に、本発明の実施の形態１にかかる再生装置１００における再生処理方法について、図６に示すフローチャートを参照しながら説明する。
まず、入力部１を介して、Ｈ．２６４方式で符号化された映像データが、再生装置１００に入力される（ステップＳ１）。
【００２２】
次に、ヘッダ参照部２が、ＮＡＬヘッダを参照し、ＧＯＰに含まれるピクチャデータのタイプを判別し、判別結果情報をリオーダリング部３に入力する。（ステップＳ２）。
【００２３】
次に、リオーダリング部３が、ヘッダ参照部２から入力される判別結果情報に基づいて、各ピクチャデータを、表示する順番に、並び替える（ステップＳ３）。そして、リオーダリング部３は、ヘッダ参照部２から入力された判別結果情報と、リオーダリング処理を行った映像データと、を優先順位付与部４に入力する。
【００２４】
次に、優先順位付与部４が、再生装置１００のフレームレートなどに基づいて、復号部６によって復号されるフレーム数を設定する（ステップＳ４）。
次に、優先順位付与部４は、リオーダリング部３から入力される映像データに含まれる各ピクチャデータに優先順位を付与する（ステップＳ５）。そして、優先順位付与部４は、優先順位を付与した映像データをピクチャ選択部５に入力する。
【００２５】
次に、ピクチャ選択部５が、優先順位の高い順に、所定フレーム数のピクチャデータを選択し、残りのピクチャデータをダミーピクチャに指定する（ステップＳ６）。
次に、復号部６は、ピクチャ選択部５により選択されたピクチャデータを復号する（ステップＳ７）。
【００２６】
次に、復号部６から、出力部７を介して、復号された映像データが外部装置に入力される（ステップＳ８）。
【００２７】
以上に説明した本発明の実施の形態１にかかる再生装置１００及び再生処理方法によれば、優先順位付与部４により、符号化された第１のピクチャデータ、他のフレームのピクチャデータを参照して符号化された第２のピクチャデータの順に、映像データに含まれるピクチャデータに優先順位が付与される。そして、ピクチャ選択部５により、当該優先順位の高い順に、所定フレーム数のピクチャデータが選択され、ピクチャ選択部５によって選択されたピクチャデータが復号部６により復号される。そのため、時系列的に連続した複数フレームのピクチャデータのうち、復号されるピクチャデータの出現頻度をできるだけ均一とすることができる。これにより、ピクチャデータの表示間隔の乱れを抑制することができる。したがって、視聴者に対して視覚的に悪印象を与えることを防止することができる。
さらに、ピクチャ選択部５により、当該優先順位の高い順に、所定フレーム数のピクチャデータが選択され、ピクチャ選択部５によって選択されたピクチャデータが復号部６により復号される。換言すれば、復号部６は、任意のフレーム数のピクチャデータを復号することができる。したがって、復号部６は、再生装置１００のフレームレートに合わせたフレーム数のピクチャデータを復号することができる。
したがって、再生装置１００のフレームレートに合わせて、視聴者に対して視覚的に悪印象を与えることを防止することができる。
【００２８】
また、第１のピクチャデータは、Ｉピクチャであり、第２のピクチャデータは、Ｐピクチャ及びＢピクチャであり、優先順位付与部４は、Ｉピクチャ、Ｉピクチャを参照するＰピクチャ、Ｐピクチャを参照するＰピクチャ、Ｉピクチャを参照するＢピクチャ、Ｉピクチャを参照するＰピクチャを参照するＢピクチャ、Ｐピクチャを参照するＰピクチャを参照するＢピクチャの順に、映像データに含まれるピクチャデータに優先順位を付与する。
これにより、Ｈ．２６４／ＡＶＣ方式などの符号化方式で符号化された映像データを再生する場合にも対応することができる。
【００２９】
さらに、復号部６によって復号されるピクチャデータの所定フレーム数は、再生装置１００のフレームレートになど基づいて決定されている。
これにより、再生装置１００のフレームレートに適応したフレーム数分だけ、ピクチャデータをスキップすることとなり、余分にピクチャデータをスキップしなくて済む。
【００３０】
実施の形態２．
図７は、本発明の実施の形態２にかかる再生装置２００の構成の一例を示すブロック図である。図７に示すように、実施の形態２にかかる再生装置２００は、優先順位付与部（優先順位付与手段）４０、ピクチャ選択部（復号手段）５０以外の構成は、実施の形態１にかかる再生装置１００と同様であるため、同一の符号を付すとともにその説明を省略する。
【００３１】
優先順位付与部４０は、リオーダリング部３から入力される映像データに含まれる各ピクチャデータに優先順位を付与する。具体的には、優先順位付与部４は、符号化された第１のピクチャデータ、他のフレームのピクチャデータを参照して符号化された第２のピクチャデータの順に、当該映像データに含まれる各ピクチャデータに優先順位を付与する。より具体的には、例えば、図８に示すように、優先順位付与部４は、まず、Ｉピクチャ、Ｉピクチャを参照するＰピクチャ、Ｐピクチャを参照するＰピクチャの順に、当該映像データに含まれる各ピクチャデータに優先順位を付与する。次いで、優先順位付与部４０は、映像データに含まれる複数のＢピクチャに優先順位を付与する。
具体的には、復号部６によって復号されるピクチャデータのフレーム数である所定フレーム数をＹ、映像データに含まれるＩピクチャのフレーム数をＩｘ、映像データに含まれるＰピクチャのフレーム数をＰｘ、映像データに含まれるＢピクチャのフレーム数をＢｘ、復号部６によって復号されるＢピクチャのフレーム数をＢｙとしたとき、Ｂｙ＝Ｙ−Ｉｘ−Ｐｘである。そして、優先順位付与部４０は、Ｂピクチャに優先順位を付与する場合、Ｂｘ／Ｂｙフレームに１フレームの割合で映像データに含まれるＢピクチャが復号部６によって復号されるように、Ｂピクチャのピクチャデータに優先順位を付与する。図８において、優先順位を数字で示す。図８においては、数字が小さいほど、優先順位が高いことを示している。
【００３２】
また、本実施形態では、復号部６によって復号されるピクチャデータのフレーム数である所定フレーム数（すなわちＹの値）は、再生装置２００のフレームレートなどに基づいて、優先順位付与部４０によって設定される値である。しかし、これに限られるものではなく、当該所定フレーム数は、予め定められていてもよいし、他の方法により設定されるものであってもよい。
なお、本実施形態では、優先順位付与部４０は、ＧＯＰ毎に、当該ＧＯＰに含まれるピクチャデータに優先順位を付与する。
そして、優先順位付与部４０は、優先順位を付与した映像データをピクチャ選択部５０に入力する。
【００３３】
例えば、１つのＧＯＰに含まれるＩピクチャのフレーム数が１、Ｐピクチャのフレーム数が４、Ｂピクチャのフレーム数が１０であり、復号部６が復号する所定フレーム数が１０フレームであるとき、Ｙ＝１０、Ｉｘ＝１、Ｐｘ＝４、Ｂｘ＝１０であり、Ｂｙ＝１０−１−４＝５となる。したがって、Ｂｘ／Ｂｙ＝２となる。そして、優先順位付与部４０は、図９に示すように、２フレームに１フレームの割合で、リオーダリング処理後のピクチャデータの並びに沿って、Ｂピクチャに優先順位を付与する。
【００３４】
また、１つのＧＯＰに含まれるＩピクチャのフレーム数が１、Ｐピクチャのフレーム数が４、Ｂピクチャのフレーム数が１０であり、復号部６が復号する所定フレーム数が８フレームであるとき、Ｙ＝８、Ｉｘ＝１、Ｐｘ＝４、Ｂｘ＝１０であり、Ｂｙ＝８−１−４＝３となる。したがって、Ｂｘ／Ｂｙ＝１０／３の商＝３となる。この場合、小数点以下の数値は切り捨てる。そして、優先順位付与部４０は、図１０に示すように、３フレームに１フレームの割合で、リオーダリング処理後のピクチャデータの並びに沿って、Ｂピクチャに優先順位を付与する。
そして、本実施形態では、優先順位付与部４０は、図９、図１０に示すように、復号部６によって復号される予定のピクチャデータのみ、すなわち、所定フレーム数内のピクチャデータのみに、優先順位を付与する。換言すれば、優先順位付与部４０は、復号部６によって復号されない予定のピクチャデータには優先順位を付与しない。
【００３５】
ピクチャ選択部５０は、優先順位の高い順に、所定フレーム数のピクチャデータを選択する。ここで、当該所定フレーム数は、再生装置２００のフレームレートになど基づいて決定されている。換言すれば、ピクチャ選択部５０は、優先順位の高い順に、再生装置２００のフレームレートに適合するフレーム数の分だけ、ピクチャデータを選択する。なお、本実施形態では、ピクチャ選択部５０は、ＧＯＰ毎に、当該ＧＯＰに含まれるピクチャデータのうち、再生装置２００のフレームレートに適合するフレーム数の分だけ、ピクチャデータを選択する。例えば、図９に示すように、ＧＯＰに１５フレームのピクチャデータが含まれており、そのうち１０フレームのみを復号する場合、ピクチャ選択部＊＊は、優先順位（図９の数字が小さい順）に、１０フレームまでのピクチャデータを選択する。図９において、選択されないピクチャデータに斜線を付して示す。また、例えば、図１０に示すように、ＧＯＰに１５フレームのピクチャデータが含まれており、そのうち８フレームのみを復号する場合、ピクチャ選択部５０は、優先順位（図１０の数字が小さい順）に、８フレームまでのピクチャデータを選択する。図１０において、選択されないピクチャデータに斜線を付して示す。
また、ピクチャ選択部５０は、選択されないピクチャデータ（図９において、斜線が付されたピクチャ）をダミーピクチャとして指定する。これにより、ピクチャ選択部５０は、ダミーピクチャとして指定した当該ピクチャデータが復号部６により復号されないようにしている。
なお、実施の形態２にかかる再生装置２００における再生処理方法の流れは、実施の形態１にかかる再生装置１００における再生処理方法の流れと同様であるため、その説明を省略する。
【００３６】
以上に説明した本発明の実施の形態２にかかる再生装置２００及び再生処理方法によれば、優先順位付与部４０は、Ｉピクチャ、Ｉピクチャを参照するＰピクチャ、Ｐピクチャを参照するＰピクチャ、Ｂピクチャの順に、映像データに含まれるピクチャデータに優先順位を付与するとともに、優先順位付与部４０は、Ｂピクチャに優先順位を付与する場合、Ｂｘ／Ｂｙフレームに１フレームの割合で映像データに含まれるＢピクチャが復号部６０によって復号されるように、Ｂピクチャのピクチャデータに優先順位を付与する。なお、「Ｂｘ／Ｂｙ」とは、ＢｘをＢｙで割った商を意味する。
これにより、時系列的に連続した複数フレームのピクチャデータのうち、復号されるＢピクチャの出現頻度をより確実に均一とすることができる。したがって、ピクチャデータの表示間隔の乱れをより確実に抑制することができる。これにより、視聴者に対して視覚的に悪印象を与えることをより確実に防止することができる。
【００３７】
なお、本発明は上記実施の形態に限られたものではなく、趣旨を逸脱しない範囲で適宜変更することが可能である。
【符号の説明】
【００３８】
１００、２００  再生装置
４、４０  優先順位付与部（優先順位付与手段）
５、５０  ピクチャ選択部（復号手段）
６  復号部（復号手段）
【図１】
2010258983.tif 000003
【図２】
2010258983.tif 000004
【図３】
2010258983.tif 000005
【図４】
2010258983.tif 000006
【図５】
2010258983.tif 000007
【図６】
2010258983.tif 000008
【図７】
2010258983.tif 000009
【図８】
2010258983.tif 000010
【図９】
2010258983.tif 000011
【図１０】
2010258983.tif 000012